(57)【要約】      （修正有）【課題】フェライトビーズコアからの発熱を回避しながら，ＥＭＩの発生を抑制できるプラズマディスプレイ技術を提供する。【解決手段】プラズマディスプレイパネル駆動装置１は，駆動パルスを生成する駆動パルス発生回路３と，信号線５と，信号線５を介して駆動パルスを受信し表示電極６を駆動するドライブ回路４と，信号線５の近傍に設けられたフェライトビーズコア８と，フェライトビーズコア８と並列接続されたインピーダンス素子９とを備え、インピーダンス素子９は次の特性を満足する；ある閾値周波数（ｆＴＨ）よりも低い第１周波数領域におけるインピーダンス素子９のインピーダンスは，第１周波数領域におけるフェライトビーズコア８のインピーダンスよりも小さく，且つ，閾値周波数よりも高い第２周波数領域におけるインピーダンス素子９のインピーダンスは，第２周波数領域におけるフェライトビーズコア８のインピーダンスよりも大きい。【選択図】図１
2005157140.tif 000002
【特許請求の範囲】
【請求項１】
駆動パルスを発生する駆動パルス発生回路と，
信号線と，
前記信号線を介して前記駆動パルスを受信し，受信した前記駆動パルスに応答してプラズマディスプレイパネルの表示電極を駆動するドライブ回路と，
前記信号線の近傍に設けられたフェライトビーズコアと，
前記フェライトビーズコアに対して並列に，前記信号線に接続されたインピーダンス素子
とを備え，
ある閾値周波数よりも低い第１周波数領域における前記インピーダンス素子のインピーダンスは，前記第１周波数領域における前記フェライトビーズコアのインピーダンスよりも小さく
前記閾値周波数よりも高い第２周波数領域における前記インピーダンス素子のインピーダンスは，前記第２周波数領域における前記フェライトビーズコアのインピーダンスよりも大きい
プラズマディスプレイパネル駆動装置。
【請求項２】
請求項１に記載のプラズマディスプレイ駆動装置において，
前記インピーダンス素子は，コイルである
プラズマディスプレイパネル駆動装置
【請求項３】
請求項１に記載のプラズマディスプレイ駆動装置において，
前記フェライトビーズコアは，前記信号線の第１ノードと前記第２ノードとの間に挿入され，
前記インピーダンス素子は，
前記第１ノードと前記第２ノードとの間に接続されたバイパス信号線と，
前記バイパス信号線に近接するように設けられた他のフェライトビーズコア
とを含む
プラズマディスプレイ駆動装置。
【請求項４】
請求項１乃至請求項３のいずれか一に記載のプラズマディスプレイパネル駆動装置において，
前記閾値周波数は，概ね３０ＭＨｚである
プラズマディスプレイパネル駆動装置。
【請求項５】
表示電極を有するプラズマディスプレイパネルと，
プラズマディスプレイパネル駆動装置
とを備え，
前記プラズマディスプレイパネル駆動装置は，
駆動パルスを発生する駆動パルス発生回路と，
信号線と，
前記信号線を介して前記駆動パルスを受信し，受信した前記駆動パルスに応答して前記表示電極を駆動するドライブ回路と，
前記信号線の近傍に設けられたフェライトビーズコアと，
前記フェライトビーズコアに対して並列に，前記信号線に接続されたインピーダンス素子
とを備え，
閾値周波数よりも低い第１周波数領域における前記インピーダンス素子のインピーダンスは，前記第１周波数領域における前記フェライトビーズコアのインピーダンスよりも小さく
前記閾値周波数よりも高い第２周波数領域における前記インピーダンス素子のインピーダンスは，前記第２周波数領域における前記フェライトビーズコアのインピーダンスよりも大きい
プラズマ表示装置。
【発明の詳細な説明】
【技術分野】
【０００１】
本発明は，プラズマディスプレイパネル駆動装置，及びプラズマ表示装置に関し，特に，プラズマ表示装置のＥＭＩ（Electromagnetic Interference）を抑制するための技術に関する。
【背景技術】
【０００２】
プラズマディスプレイパネルを駆動するためには，様々な矩形の駆動パルスをプラズマディスプレイパネルに印加する必要がある。例えば，プラズマディスプレイパネルの階調表示を実現する最も典型的な駆動方法であるサブフィールド法では，維持パルスが維持電極に印加され，更に，維持パルス，走査パルス，及び消去パルスが，走査電極に印加される（特許文献１参照）。
【特許文献１】特許第２９３２６８６号公報
【０００３】
プラズマディスプレイパネルの駆動技術の一つの問題は，ＥＭＩの抑制である。矩形パルスは大きな高調波成分を含んでいるから，矩形の駆動パルスをプラズマディスプレイパネルに印加すると，その高調波成分に起因する不所望な電磁波がプラズマディスプレイパネル及びそれを駆動する駆動回路から放射される。不所望な電磁波の放射は，周囲の電気機器に影響を及ぼし得る。例えば，当該プラズマディスプレイパネルがテレビとして使用される場合，チューナが不所望な電磁波に曝されることによって，表示される画像の画質が劣化し得る。とりわけ，３０ＭＨｚ〜１ＧＨｚの周波数帯の電磁波は，電気機器に及ぼす影響が大きい。このため，３０ＭＨｚ〜１ＧＨｚのＥＭＩは，規格によって規制されている。
【０００４】
フェライトビーズコアの使用は，ＥＭＩを抑制するための典型的な技術の一つである。フェライトビーズコアは，高周波領域における損失が大きいため，高周波ノイズを選択的に減衰させるために有効である。
【０００５】
特許文献２は，フェライトビーズコアを用いてＥＭＩを抑制するプラズマ表示装置を開示している。公知のそのプラズマ表示装置は，図５に示されているように，パネル駆動回路プリント板１０１と，プラズマディスプレイパネル１０２と，パネル放熱用金属板１０３とを備えている。プラズマディスプレイパネル１０２とパネル放熱用金属板１０３とは，熱伝導性が高い接着材１１２によって接着されている。プリント板１０１は，パネル放熱用金属板１０３に，固定ネジ１０９によって固定されている。固定ネジ１０９を囲うように，ドーナツ状のフェライトビーズコア１１３が設けられている。図６に示されているように，パネル駆動回路プリント板１０１は，制御回路１０５と複数の駆動回路１０４とからなる。駆動回路１０４は，制御回路１０５からの制御信号により信号を出力する。駆動回路１０４の出力は，フレキシブルケーブル１０８を介して，プラズマディスプレイパネル１０２の表示電極１０６に接続されている。表示電極１０６は，不可避的に，分布容量１０７によってパネル放熱用金属板１０３に容量的に結合されるから，表示電極１０６，分布容量１０７，パネル放熱用金属板１０３，及び固定ネジ１０９は，高周波電流が流れる閉回路を構成し得る。高周波電流が流れる閉回路が形成されると，プラズマディスプレイパネル１０２とパネル放熱用金属板１０３とがアンテナとして作用し，ＥＭＩの発生の原因となり得る。しかし，フェライトビーズコア１１３は，高周波電流が固定ネジ１０９を介してパネル駆動回路プリント板１０１とパネル放熱用金属板１０２との間で流れるのを防止し，これにより，ＥＭＩの発生を有効に抑制する。
【特許文献２】特開平１０−２８２８９５号公報
【０００６】
フェライトビーズコアを用いてＥＭＩを抑制する上で考慮されるべき事項の一つは，フェライトビーズコアからの発熱である。大きな高周波電流が流れる信号線は，大きなＥＭＩの発生源となり得るから，ＥＭＩを有効に抑制するためには，大きな電流が流される信号線に，損失が大きい（即ち，高周波ノイズの抑制効果が大きい）フェライトビーズコアを設けることが好ましい。しかし，大きな電流が流される信号線に，損失が大きなフェライトビーズコアを設けることは，設けられたフェライトビーズコアに許容できない発熱が発生し得るという別の問題を生じさせ得る。発熱の問題を避けるために，損失が小さいフェライトビーズコアを使用することは，ＥＭＩを充分に抑制できないため望ましくない。
【発明の開示】
【発明が解決しようとする課題】
【０００７】
本発明の目的は，フェライトビーズコアからの発熱の問題を回避しながら，ＥＭＩの発生を有効に抑制することができるプラズマディスプレイ技術を提供することにある。
【課題を解決するための手段】
【０００８】
上記目的を達成するために，本発明は，下記の手段を採用している。その手段を特定する技術的事項には，［特許請求の範囲］の記載と［発明を実施するための最良の形態］の記載との対応関係を明らかにするために，［発明を実施するための最良の形態］で使用される番号・符号が付加されている。但し，付加された番号・符号は，［特許請求の範囲］に記載されている発明の技術的範囲の解釈に用いてはならない。
【０００９】
本発明によるプラズマディスプレイパネル駆動装置（１）は，駆動パルスを生成する駆動パルス発生回路（３）と，信号線（５）と，信号線（５）を介して駆動パルスを受信し，受信した駆動パルスに応答してプラズマディスプレイパネル（２）の表示電極（６）を駆動するドライブ回路（４）と，信号線（５）の近傍に設けられたフェライトビーズコア（８）と，フェライトビーズコア（８）に対して並列に，信号線（５）に接続されたインピーダンス素子（９）とを備えている。インピーダンス素子（９）は，下記の条件を満足するような特性を有している；ある閾値周波数（ｆＴＨ）よりも低い第１周波数領域におけるインピーダンス素子（９）のインピーダンスは，前記第１周波数領域における前記フェライトビーズコア（８）のインピーダンスよりも小さく，且つ，前記閾値周波数よりも高い第２周波数領域におけるインピーダンス素子（９）のインピーダンスは，前記第２周波数領域における前記フェライトビーズコア（８）のインピーダンスよりも大きい。かかる構成により，信号線（５）を流れる信号のうち，低周波領域の成分は主としてインピーダンス素子（９）に流れ，高周波領域の成分は主としてフェライトビーズコア（８）に流れる。これにより，輻射の抑制の要求が大きい（即ち，ＥＭＩとして重要な）高周波領域の不要電磁波の発生が抑えられ，且つ，フェライトビーズコア（８）の発熱を抑制することができる。
【００１０】
インピーダンス素子（９）は，コイルであることが可能である。
【００１１】
フェライトビーズコア（８）が信号線（５）の第１ノード（５ａ）と第２ノード（５ｂ）との間に挿入されている場合には，インピーダンス素子（９）は，第１ノード（５ａ）と第２ノード（５ｂ）との間に接続されたバイパス信号線（１１）と，バイパス信号線（１１）に近接するように設けられた他のフェライトビーズコア（１２）とを含むことが可能である。
【００１２】
上記の閾値周波数（ｆＴＨ）は，概ね３０ＭＨｚであることが好適である。
【００１３】
他の観点において，本発明によるプラズマ表示装置（１０）は，表示電極（６）を有するプラズマディスプレイパネル（２）と，プラズマディスプレイパネル駆動装置（１）とを備えている。プラズマディスプレイパネル駆動装置（１）は，駆動パルスを発生する駆動パルス発生回路（３）と，信号線（５）と，信号線（５）を介して前記駆動パルスを受信し，受信した前記駆動パルスに応答して表示電極（６）を駆動するドライブ回路（４）と，信号線（５）の近傍に設けられたフェライトビーズコア（８）と，フェライトビーズコア（８）に対して並列になるように信号線（５）に接続されたインピーダンス素子（９）とを備えている。インピーダンス素子（９）は，下記の条件を満足するような特性を有している；ある閾値周波数（ｆＴＨ）よりも低い第１周波数領域におけるインピーダンス素子（９）のインピーダンスは，前記第１周波数領域における前記フェライトビーズコア（８）のインピーダンスよりも小さく，且つ，前記閾値周波数よりも高い第２周波数領域におけるインピーダンス素子（９）のインピーダンスは，前記第２周波数領域における前記フェライトビーズコア（８）のインピーダンスよりも大きい。
【発明の効果】
【００１４】
本発明により，フェライトビーズコアからの発熱の問題を回避しながら，ＥＭＩの発生を有効に抑制することができるプラズマディスプレイ技術が提供される。
【発明を実施するための最良の形態】
【００１５】
本発明の実施の一形態では，図１に示されているように，プラズマ表示装置１０が，プリント配線基板１と，プラズマディスプレイパネル２とを備えている。プリント配線基板１の上には，プラズマディスプレイパネル２を駆動する駆動回路が形成されている。該駆動回路は，駆動パルス発生回路３とドライブ回路４とを含む。プリント配線基板１の上には信号線パターン５が形成され，駆動パルス発生回路３は，その信号線パターン５を介して，ドライブ回路４に駆動パルスを供給する。ドライブ回路４は，表示電極６（即ち，走査電極及び維持電極）にフレキシブルケーブル７を介して接続されている。ドライブ回路４は，駆動パルス発生回路３から供給された駆動パルスを用いてプラズマディスプレイパネル２の表示電極６を駆動する。
【００１６】
駆動パルスをドライブ回路４に供給する信号線パターン５は，それに流れる電流が大きいため，ＥＭＩの重大な発生源の一つである。駆動パルスを起因とするＥＭＩを抑制するために，信号線パターン５の上には，フェライトビーズコア８が接合されている。信号線パターン５とフェライトビーズコア８とは，電磁的相互作用が充分に大きい程度に近接されている必要があるが，直接に接合されていることは必ずしも必要でない。フェライトビーズコア８は，信号線パターン５のノード５ａとノード５ｂとの間に位置している。フェライトビーズコア８は，ＥＭＩの抑制の要求が強い周波数帯域である３０ＭＨｚ−１ＧＨｚの周波数帯域の信号を有効に減衰できるように，当該周波数帯域において大きな損失を有するように設計されている。
【００１７】
コイル９が，ノード５ａとノード５ｂとの間に，フェライトビーズコア８と並列に接続されている。図２に示されているように，コイル９は，下記のような特性を有するように設計されている；ある閾値周波数ｆＴＨより高い周波数帯域において，コイル９のインピーダンスは，フェライトビーズコア８のインピーダンスよりも大きい一方，閾値周波数ｆＴＨよりも低い周波数帯域においては，コイル９のインピーダンスは，フェライトビーズコア８のインピーダンスよりも小さい。本実施の形態では，閾値周波数ｆＴＨが，規格によってＥＭＩの抑制が要求されている周波数帯の下限である３０ＭＨｚに選択されている。
【００１８】
コイル９がこのような特性を有するように設計されていることにより，輻射の抑制の必要性が高い高周波数帯域の電磁波の発生を抑制しつつ，フェライトビーズコア８の不要な発熱を有効に抑制することができる。図３Ａに示されているように，コイル９が低周波数領域において小さいインピーダンスを有していることにより，信号線パターン５を流れる電流の低周波成分は，フェライトビーズコア８を通過せず，主としてコイル９に流れる。これにより，フェライトビーズコア８の不必要な発熱が抑制される。低周波成分が減衰されないことは，ＥＭＩの発生において重大な問題にはならない。一方，図３Ｂに示されているように，ＥＭＩの抑制において重要である高周波成分は，主としてフェライトビーズコア８を流れる。信号線パターン５を流れる電流の高周波成分がフェライトビーズコア８に流されることにより，駆動パルスの高調波成分が有効に減衰され，輻射の抑制の必要性が高い高周波数帯域の電磁波の発生が抑制される。
【００１９】
閾値周波数ｆＴＨは，概ね３０ＭＨｚであることが好適である。閾値周波数ｆＴＨは，概ね，フェライトビーズコア８によって輻射が抑制される周波数の下限に相当する。閾値周波数ｆＴＨを，概ね３０ＭＨｚにすることにより，規格によって抑制が要求されている３０ＭＨｚ−１ＧＨｚの周波数のＥＭＩを有効に抑制しつつ，フェライトビーズコア８からの不要な発熱の発生を抑制できる。
【００２０】
本実施の形態において，コイル９の代わりに，ある閾値周波数ｆＴＨより高い周波数帯域において，インピーダンスが，フェライトビーズコア８のインピーダンスよりも大きく，且つ，該閾値周波数ｆＴＨよりも低い周波数帯域においては，インピーダンスが，フェライトビーズコア８のインピーダンスよりも小さいような他のインピーダンス素子が使用され得る。
【００２１】
例えば，図４に示されているように，コイル９がノード５ａとノード５ｂとの間に設けられる代わりに，ノード５ａとノード５ｂとがバイパス信号線パターン１１ａによって接続され，そのバイパス信号線パターン１１の上に，他のフェライトビーズコア１２が設けられることが可能である。バイパス信号線パターン１１とフェライトビーズコア１２とは，電磁的相互作用が充分に大きい程度に近接されている必要があるが，直接に接合されていることは必ずしも必要でない。コイル９と同様に，フェライトビーズコア１２は，輻射の抑制の必要性が高い高周波数帯域の電磁波の発生を抑制しつつ，フェライトビーズコア８の不要な発熱を有効に抑制することができる。
【図面の簡単な説明】
【００２２】
【図１】図１は，本発明による実施の一形態におけるプラズマ表示装置の構成を示すブロック図である。
【図２】図２は，フェライトビーズコア８とコイル９のインピーダンスの周波数特性を示す。
【図３Ａ】図３Ａは，低周波数領域におけるフェライトビーズコア８とコイル９の特性を示す概念図である。
【図３Ｂ】図３Ｂは，高周波数領域におけるフェライトビーズコア８とコイル９の特性を示す概念図である。
【図４】図４は，本発明による実施の他の形態におけるプラズマ表示装置の構成を示すブロック図である。
【図５】図５は，従来のプラズマ表示装置の構成を示す断面図である。
【図６】図６は，従来のプラズマ表示装置の構成を示すブロック図である。
【符号の説明】
【００２３】
１：プリント配線基板
２：プラズマディスプレイパネル
３：駆動パルス発生回路
４：ドライブ回路
５：信号線パターン
６：表示電極
７：フレキシブルケーブル
８：フェライトビーズコア
９：コイル
１０：プラズマ表示装置
１１：バイパス信号線パターン
１２：フェライトビーズコア
【図１】
2005157140.tif 000003
【図２】
2005157140.tif 000004
【図３Ａ】
2005157140.tif 000005
【図３Ｂ】
2005157140.tif 000006
【図４】
2005157140.tif 000007
【図５】
2005157140.tif 000008
【図６】
2005157140.tif 000009